(57)【要約】【課題】省電力のＬＥＤ発光体を利用して明るく均一な光を表示板に向け照射することができるようにしたものであって、特にＬＥＤ基部の近傍も光るようにした面発光表示装置を提供することが目的とする。【解決手段】道路標識、看板などの文字、模様等を標示する表示板１の背面に複数個のＬＥＤ２を配したものであって、該表示板１を底面付き枠状ケース３の上面開口を閉塞して取り付けると共に、その内部に配される複数本のＬＥＤユニット４をケース内の一側から他側に向けて延ばしたＬＥＤ基板５と、ＬＥＤ基板５上に一線に並んで配置された複数個のＬＥＤ２と、該ＬＥＤ２をＬＥＤ基板５と共に一体的に覆う円弧状の拡散レンズ６とから構成した。【選択図】  図１
2005017573.tif 000002
【特許請求の範囲】
【請求項１】
道路標識、看板などの文字、模様等を標示する表示板（１）の背面に複数個のＬＥＤ（２）を配したものであって、該表示板（１）を底面付き枠状ケース（３）の上面開口を閉塞して取り付けると共に、その内部に配される複数本のＬＥＤユニット（４）をケース内の一側から他側に向けて延ばしたＬＥＤ基板（５）と、ＬＥＤ基板（５）上に一線に並んで配置された複数個のＬＥＤ（２）と、該ＬＥＤ（２）をＬＥＤ基板（５）と共に一体的に覆う円弧状の拡散レンズ（６）とから構成したことを特徴とする標識、看板等の面発光表示装置。
【請求項２】
前記拡散レンズ（６）の円弧端から上方に延ばした延長部分（６ａ）を設け、該延長部分（６ａ）の背面に反射板（７）を設けて光を延長部分（６ａ）のレンズを介して表示板に向けて照射させるようにしたことを特徴とする請求項１記載の標識、看板等の面発光表示装置。
【請求項３】
前記拡散レンズ（６）をＬＥＤ（２）を中心とする半円弧状に形成し、その表側には複数本の円弧状の大きな突条（８）を連続的に形成し、また裏側（ＬＥＤ側）にも複数本の小さな突条（９）を連続的に設けたことを特徴とする請求項１記載の標識、看板等の面発光表示装置。
【請求項４】
前記ＬＥＤ基板（５）の両側を拡散レンズ（６）の円弧端に設けた係止溝（１０）で保持するようにしたことを特徴とする請求項１記載の標識、看板等の面発光表示装置。
【請求項５】
ケース底面に反射板（１１）を全域に亘って設け、該反射板（１１）には連続する円弧状の凹溝（１２）を形成したことを特徴とする請求項１記載の標識、看板等の面発光表示装置。
【発明の詳細な説明】
【０００１】
【発明の属する技術分野】
本発明は、道路標識、看板などの文字盤、模様、矢印、絵等を標示する表示装置に関し、特に表示板の背面に複数個のＬＥＤ（発光ダイオード）を配し、その光をＬＥＤ前面に設けたレンズで拡散させて表示板の全域をむら無く光らせるようにしたものである。
【０００２】
【従来の技術】
【特許文献１】特開２０００−１１７０２号
【特許文献２】特開２００２−１７５０３１号
【特許文献３】特開２００１−２２９７２３号
【０００３】
道路標識、看板などの文字板、模様、矢印等を標示する表示板の背面に複数個のＬＥＤを配してその光を表示板に向け導光、又は反射させて表示板の全域をむら無く光らせるようにしたものがいろいろと提案されている。例えば特許文献１及び特許文献２のものは、光源である複数個のＬＥＤを基板上に一線に配設し、その光源に対設して傾斜する反射板を設け、ＬＥＤからの光と反射板から反射する光を表示板に当ててバックライト照明するようにしたものである。また特許文献２のものは、ＬＥＤの前方に導光板を設け、さらに導光板の背面に反射板を設けて効率良く導光板に入った光を表示板に向けて導光するようにしたものである。
【０００４】
【発明が解決しようとする課題】
そしていずれもＬＥＤの光軸よりも下方に拡散する光を無駄にすることなく上方に配した表示板に向けて照射させるために反射板を光軸より下方に表示板と対抗させて設けてある。然しながら反射板は遠方の減衰した光を上方に反射させるものであるから光源に近い光と比較すると弱い光が反射されて表示板に光ムラが生じることは避けられなかった。
【０００５】
ＬＥＤから放射される光は光軸を中心として円錐状に約３０度の広がりでほぼ直進する特性があり、ＬＥＤ基部側方へは光がもれない構造になっている。従ってこれらＬＥＤ発光体を表示板に垂直に照射するとき、点として発光され基板上に一線に並んだ複数個のＬＥＤと次の基板状のＬＥＤとの間に暗部が生じ、光むらのある表示面となる問題が生じていた。また前記従来例のようにＬＥＤ光軸を表示板に対し平行に設置したときも同様にＬＥＤの根元部分が暗くなって表示板の面全体を均一に照射することが困難であった。
【０００６】
本発明は、以上のような問題に鑑みてなされたもので、省電力のＬＥＤ発光体を利用して明るく均一な光を表示板に向け照射することができるようにしたものであって、特にＬＥＤ基部の近傍も光るようにした面発光表示装置を提供することが目的とする。
【０００７】
【課題を解決するための手段】
本発明の標識、看板等の面発光表示装置は、請求項１記載のように道路標識、看板などの文字、模様等を標示する表示板１の背面に複数個のＬＥＤ２を配したものであって、該表示板１を底面付き枠状ケース３の上面開口を閉塞して取り付けると共に、その内部に配される複数本のＬＥＤユニット４をケース内の一側から他側に向けて延ばしたＬＥＤ基板５と、ＬＥＤ基板５上に一線に並んで配置された複数個のＬＥＤ２と、該ＬＥＤ２をＬＥＤ基板５と共に一体的に覆う円弧状の拡散レンズ６とから構成したことを特徴とする。
【０００８】
そして請求項２記載のように、前記拡散レンズ６の円弧端から上方に延ばした延長部分６ａを設け、該延長部分６ａの背面に反射板７を設けて光を延長部分６ａのレンズを介して表示板に向けて照射させるようにしたことを特徴とする。
【０００９】
また請求項３記載のように、前記拡散レンズ６をＬＥＤ２を中心とする半円弧状に形成し、その表側には複数本の円弧状の大きな突条８を連続的に形成し、また裏側（ＬＥＤ側）にも複数本の小さな突条９を連続的に設けたことを特徴とする。
【００１０】
また請求項４記載のように、前記ＬＥＤ基板５の両側を拡散レンズ６の円弧端に設けた係止溝１０で保持するようにしたことを特徴とする。
【００１１】
さらに請求項５記載のように、ケース底面に反射板１１を全域に亘って設け、該反射板１１には連続する円弧状の凹溝１２を形成したことを特徴とする。
【００１２】
【発明の実施の形態】
以下、本発明のひとつの実施の形態を図面に基づき説明する。図１は本発明、面発光表示装置の側断面図、図２は表示装置のケースの一側面を外した斜視図、図３はＬＥＤ基板の配列を示す平面図、図４はＬＥＤを覆うレンズの斜視図、図５は看板への使用状況図である。
【００１３】
本発明の面発光表示装置は、図１及び図２に示すように道路標識、看板などの文字、模様、矢印、絵等を標示する表示板１の背面に複数個のＬＥＤ２を配したものであって、表示板１は半透明のアクリル樹脂にて形成され、底面付き枠状ケース３の上面開口を閉塞して取り付けられており、そしてその内部には図３に示すように、複数本のＬＥＤユニット４が枠状ケース３の一側から他側に向けて２０ｃｍ〜３０ｃｍの間隔で平行に配置されている。このＬＥＤユニット４は、ケース内いっぱいに延びる長さのプリント配線されたＬＥＤ基板５と、該ＬＥＤ基板５の中央に２ｃｍ間隔で一線に並んで配置された複数個のＬＥＤ２と、該複数個のＬＥＤ２を一体的に覆う円弧状の拡散レンズ６と、該拡散レンズ６の円弧端から上方に延びる延長部分６ａと、該延長部分６ａの背面に設けた反射板７とからなる。
【００１４】
そして前記ＬＥＤ基板５上に取り付けられ、一線に並んだ複数個のＬＥＤ２を一体的に覆う拡散レンズ６は、図４に示すようにＬＥＤ２を中心とする半円弧状に透明なアクリル樹脂で形成され、その表側は複数本の円弧状の大きな突条８を円弧面に沿って連続的に形成し、また裏側（ＬＥＤ側）も同様に複数本の小さな突条９を円弧面に沿って連続的に設けてある。そしてＬＥＤ基板５は拡散レンズ６の内側円弧端に設けた係止溝１０で両側を保持されるようになっている。
【００１５】
また上方の円弧端から更に連続した突条から成る延長部分６ａの背面に反射板７を固着してある。またケース底面には反射板１１を全域に亘って設けてあり、該反射板１１には連続する円弧状の凹溝１２を形成してある。そして拡散レンズ６の下方の円弧端から両側に張り出したレンズ基部１３を接着剤１４で反射板１１に接着するようにしてある。尚、前記反射板７及び反射板１１は透明なアクリル板に反射シートを両面テープで貼り付けるか、または白色塗装したものである。
【００１６】
ＬＥＤを覆う拡散レンズ５は上記のような構成になるのでＬＥＤから発せられた光は図１に示すように先ず内側の小さな突条９からレンズ内に入光し、表側の大きな突条８から拡散して表示板１に向けて照射される。また延長部分６ａに導光された光のうち下方に向かう光は裏面の反射板７に反射されて延長部分６ａに再度入光して近接する表示板１に向け照射され表示板をムラ無く発光させることが出来る。
【００１７】
図５は本発明の表示装置を立看板に使用する事例を示すもので、表示板枠ケース３の大きさは、縦１ｍ、横２ｍほどのもので表示板の背面に前記ＬＥＤユニット４が縦方向に平行に１０本〜１２本配設されており、ＬＥＤ２を点灯すると表示板１の表面に貼り付けられた文字シール１５を背面からバックライト照明する。
【００１８】
【発明の効果】
以上、説明したように本発明によれば、一連のＬＥＤを拡散レンズ６で覆って光を拡散、照射するようにし、更にその延長部分６ａを表示板１に近接させ反射板７で反射させるようにしたからＬＥＤ基部の回りも発光させることが出来て、従来の短所であるＬＥＤ間の光ムラが解消されるという効果がある。
【図面の簡単な説明】
【図１】本発明の面発光表示装置の側断面図である。
【図２】表示装置のケースの一側面を外した斜視図である。
【図３】ＬＥＤ基板の配列を示す平面図である。
【図４】ＬＥＤを覆うレンズの斜視図である。
【図５】看板への使用状況説明図である。
【符号の説明】
１  表示板
２  ＬＥＤ
３  枠状ケース
４  ＬＥＤユニット
５  ＬＥＤ基板
６  拡散レンズ
６ａ  拡散レンズの延長部分
７  反射板
８  円弧状の大きな突条
９  円弧状の小さな突条
１０  係止溝
１１  反射板
１２  凹溝
１３  レンズ基部
１４  接着剤
１５  文字シール
【図１】
2005017573.tif 000003
【図２】
2005017573.tif 000004
【図３】
2005017573.tif 000005
【図４】
2005017573.tif 000006
【図５】
2005017573.tif 000007